(57)【要約】【課題】表面に描かれたいずれかの絵を押すとその絵に対応する音声メッセージが出力され、幼児が自ら自律的に学習可能な多品種の学習カードを低コストで提供する。【解決手段】印刷シート２０の裏面には、表面の絵２１に対応したスイッチパッド２２、印刷シートを識別するための識別コード２５、端子２３が導電性インクで印刷され、スイッチパッドの動作ストロークを確保する絶縁層２４が絶縁性インクで印刷されている。本体基板３０は、導電層３１、接触子３３、ＩＣチップ３４、電池３５、発音体３６、メモリカード読取装置３７を備え、これに印刷シート２０を挿入して使用する。ＩＣチップはいずれかのスイッチパッドが導電層と接触したことを検出し、印刷シートの識別コードを読取り、絵に対応する音声データをメモリカードから取得して発音体に出力する。また、タッチ検出回路を備え、人がタッチしたときに初期メッセージを出力する機能を有する。【選択図】図１
2006326895.tif 000002
【特許請求の範囲】
【請求項１】
表面に学習対象となる絵が印刷された印刷シートをカード本体に挿入して使用する学習カードであって、
前記印刷シートの裏面には、前記表面に印刷された絵に対応するスイッチパッドと、印刷シートの種別を識別するための識別コードと、前記カード本体への挿入時に前記カード本体に接続される端子と、前記スイッチパッドおよび前記識別コードを前記端子にそれぞれ接続する配線パターンとが導電性部材により印刷されるとともに、前記印刷されたスイッチパッドの部分に中空部を有する絶縁層が印刷され、
前記カード本体は、前記印刷シートの挿入時に前記印刷シートの端子と接触する接触子と、前記印刷シートの絵が押されたときに前記スイッチパッドが接触する導電層と、音声を発音する発音体と、前記接触子に接続され、前記スイッチパッドのいずれかが前記導電層と接触したことを検出する機能と、前記識別コードを読取る機能と、前記読取られた識別コードと前記接触が検出されたスイッチパッドとから対応する音声データを選択して前記発音体に出力する機能とを有する制御手段とを備え、
印刷シートに印刷されたいずれかの絵が押されたときに、その絵に対応する音声メッセージが出力されることを特徴とする、絵を押すと声の出る学習カード。
【請求項２】
前記カード本体は、前記印刷シートの識別コードと前記印刷シートのスイッチパッドが接続される端子番号とに対応して音声データを記憶させたメモリカードを読取るメモリカード読取手段を備え、
前記制御手段は、前記メモリカード読取手段にセットされたメモリカードから前記カード本体に挿入されている印刷シートの表面に印刷された絵に対応する音声データを選択する機能を有することを特徴とする、請求項１に記載の絵を押すと声の出る学習カード。
【請求項３】
前記カード本体は、録音モードに切り替える録音モード切替手段を備え、
前記制御手段は、前記録音モード切替手段が録音モードに切り替えられたときに、前記スイッチパッドのいずれかが前記導電層と接触したことを検出して音声を録音する機能と、前記識別コードを読取る機能と、前記録音された音声データを前記読取られた識別コードと前記接触が検出されたスイッチパッドとに対応させて記録する機能とを有することを特徴とする、請求項１または請求項２に記載の絵を押すと声の出る学習カード。
【請求項４】
表面に学習対象となる絵が印刷された印刷シートをカード本体に挿入して使用する学習カードであって、
前記印刷シートの裏面には、２次元に配列された印刷シート側スイッチパッドと、印刷シートの種別を識別するための識別コードと、前記カード本体への挿入時に前記カード本体に接続される端子と、前記印刷シート側スイッチパッドの一方の軸を相互に接続して前記端子に接続する配線パターンと、前記識別コードを前記端子に接続する配線パターンとが導電性部材により印刷され、
前記カード本体は、前記印刷シートの挿入時に前記印刷シートの端子と接触する接触子と、前記印刷シート側スイッチパッドに対応して配列された本体側スイッチパッドと、前記本体側スイッチパッドのうち前記印刷シート側スイッチパッドを相互に接続した軸と異なる軸を相互に接続する本体側配線パターンと、前記本体側スイッチパッドの部分に中空部を有する絶縁層と、音声を発音する発音体と、前記接触子および前記本体側配線パターンに接続され、前記印刷シート側スイッチパッドのいずれかと対応する前記本体側スイッチパッドとが接触したことを検出する機能と、前記識別コードを読取る機能と、前記読取られた識別コードと前記接触が検出されたスイッチパッドの２次元上の位置とに対応する音声データを選択して前記発音体に出力する機能とを有する制御手段とを備え、
印刷シートに印刷されたいずれかの絵が押されたときに、その絵に対応する音声メッセージが出力されることを特徴とする、絵を押すと声の出る学習カード。
【請求項５】
表面に学習対象となる絵が印刷された印刷シートをカード本体に挿入して使用する学習カードであって、
前記印刷シートの裏面には、表面に絵が印刷される範囲を導電体とする導電部と、印刷シートの種別を識別するための識別コードと、前記カード本体への挿入時に前記カード本体に接続される端子と、前記識別コードを前記端子に接続する配線パターンとが形成され、
前記カード本体は、前記印刷シートの挿入時に前記印刷シートの端子と接触する接触子と、前記印刷シートの表面に絵が印刷される範囲に対応して２次元に配列され、前記印刷シートの絵が押されたときに前記印刷シートの導電部が接触することにより導通する２極式のスイッチパッドと、前記スイッチパッドの部分に中空部を有する絶縁層と、音声を発音する発音体と、前記接触子および前記スイッチパッドに接続され、前記２極式のスイッチパッドのいずれかが接触したことを検出する機能と、前記識別コードを読取る機能と、前記読取られた識別コードと前記接触が検出されたスイッチパッドの２次元上の位置とに対応する音声データを選択して前記発音体に出力する機能とを有する制御手段とを備え、
印刷シートに印刷されたいずれかの絵が押されたときに、その絵に対応する音声メッセージが出力されることを特徴とする、絵を押すと声の出る学習カード。
【請求項６】
前記カード本体は、前記印刷シートの識別コード別に前記スイッチパッドの２次元上の位置に対応して音声データを記憶させたメモリカードを読取るメモリカード読取手段を備え、
前記制御手段は、前記メモリカード読取手段にセットされたメモリカードから前記カード本体に挿入されている印刷シートの表面に印刷された絵に対応する音声データを選択する機能を有することを特徴とする、請求項４または請求項５に記載の絵を押すと声の出る学習カード。
【請求項７】
前記カード本体は、録音モードに切り替える録音モード切替手段を備え、
前記制御手段は、前記録音モード切替手段が録音モードに切り替えられたときに、前記スイッチパッドのいずれかが接触したことを検出して音声を録音する機能と、前記識別コードを読取る機能と、前記録音された音声データを前記読取られた識別コード別に前記接触が検出されたスイッチパッドの２次元上の位置に対応させて記録する機能とを有することを特徴とする、請求項４ないし請求項６のいずれかに記載の絵を押すと声の出る学習カード。
【請求項８】
前記カード本体は、外装の一部または全部が導電性部材で形成され、
前記制御手段は、人が前記導電性部材にタッチしたことを検出するタッチ検出手段を備え、前記タッチ検出手段がタッチを検出したときに電源を投入する機能と、前記発音体に対して初期メッセージを出力する機能とを有することを特徴とする、請求項１ないし請求項７のいずれかに記載の絵を押すと声の出る学習カード。
【発明の詳細な説明】
【技術分野】
【０００１】
この発明は、絵を押すと音が出る学習カードに関し、特に例えば、幼児向けの言語教育等において好適な学習カードに関する。
【背景技術】
【０００２】
幼児はいろいろなものに手を触れながら学習してゆくので、表面に描かれている絵を押すとその絵に対応した音声メッセージが出力される学習カードがあれば、多数の学習カードを幼児に与えておくことで、幼児は自ら興味のある学習カードに触れながら自律的に学習していくことができる。ことに、絵に対応してネイティブスピーカによる音声メッセージが出力されるようにしておけば、幼児段階から正確な発音が身に付き、外国語の習得に多大な効果を発揮すると考えられる。
【０００３】
絵を押すと音が出る学習カードに関する従来技術としては、例えば内部にスイッチ、音声記録ＩＣ、発音体、電池が設けられ、表面の特定部分（例えば「ここを押す」と表記された部分）を押したときに音声メッセージが出力されるグリーティングカードがあった。
また、特許文献１には、再生する音に関連した文字や絵柄が表面に設けられ、これを押すことで音声メッセージが出力されるクレジットカードが開示されている。
また、特許文献２には、印刷物にデータコードが設けられ、当該データコード部分をデータコードリーダにより光学的に読取ることで音声メッセージが出力される学習カードが開示されている。
また、特許文献３には、カードとＲＯＭパックを装着して使用する電子式学習機において、タッチパネルを備え、カード上に表記されたマークが押されたときに、その位置情報からカードとＲＯＭパックが対応しているか否かを判断するものが開示されている。
【０００４】
【特許文献１】特開平１１−２６３０８９号公報
【特許文献２】特開平１０−１１１６３９号公報
【特許文献３】特開平５−８１８４９号公報
【発明の開示】
【発明が解決しようとする課題】
【０００５】
しかしながら、グリーティングカードや特許文献１のクレジットカードは、単にカードの内部にスイッチが設けられ、カードの表面のスイッチを押す位置に文字や絵柄が表記されているものであって、学習カードのように一枚一枚に異なる複数の絵が描かれ、どの絵が押されたかを検出して絵に対応する音声メッセージを出力するものではない。従って、このような構成を学習カードとして用いると、学習カード毎に描かれる絵の位置にあわせてスイッチを配列する必要があるため、量産化が難しく製造コストが高くなってしまうという問題がある。
【０００６】
一方、特許文献２の学習カードは、絵柄毎にデータコードを設けることで、その絵に対応する音声メッセージを出力することは可能であるが、使用者は音声メッセージを聞くためにデータコードリーダを操作する必要があり、幼児が単に絵に触れるだけで自律的に学習する用途には適用できないという問題がある。
【０００７】
また、特許文献３の電子式学習機は、タッチパネルを備えているので、使用者が絵を押したときの位置を検出し、検出された位置に対応する音声メッセージを出力することが可能である。しかしながら、この電子式学習機は、使用に際してカードとＲＯＭパックをセットする必要があるので、幼児が自ら興味のある学習カードに触れながら自律的に学習する用途には適用できない。また、あらかじめ学習するカードとＲＯＭパックをセットした多数の電子式学習機を準備することで幼児向けの用途に流用することは可能であるが、タッチパネルを備えた電子式学習機は高価あり、これを多数購入することは利用者にとって大きな負担となる。
【０００８】
それゆえに、本願発明の目的は、表面に描かれたいずれかの絵を押すとその絵に対応する音声メッセージが出力され、幼児が自ら自律的に学習可能な多品種の学習カードを低コストで提供することである。
【課題を解決するための手段】
【０００９】
この発明の絵を押すと声の出る学習カードは、表面に学習対象となる絵が印刷された印刷シートをカード本体に挿入して使用する学習カードであって、前記印刷シートの裏面には、表面に印刷された絵に対応するスイッチパッドと、印刷シートの種別を識別するための識別コードと、前記カード本体への挿入時に前記カード本体に接続される端子と、前記スイッチパッドおよび前記識別コードを前記端子にそれぞれ接続する配線パターンとが導電性部材により印刷されるとともに、前記印刷されたスイッチパッドの部分に中空部を有する絶縁層が印刷され、前記カード本体は、前記印刷シートの挿入時に前記印刷シートの端子と接触する接触子と、前記印刷シートの絵が押されたときに前記スイッチパッドが接触する導電層と、音声を発音する発音体と、前記接触子に接続され、前記スイッチパッドのいずれかが前記導電層と接触したことを検出する機能と、前記識別コードを読取る機能と、前記読取られた識別コードと前記接触が検出されたスイッチパッドとから対応する音声データを選択して前記発音体に出力する機能とを有する制御手段とを備え、印刷シートに印刷されたいずれかの絵が押されたときに、その絵に対応する音声メッセージが出力されるものである。
この発明によれば、印刷シートの裏面に印刷されたスイッチパッドと、印刷シートの裏面に印刷された絶縁層と、カード本体に備えられた導電層とによって、印刷シートの表面に印刷された絵に対応するスイッチが形成され、印刷シートをカード本体に挿入した時に、印刷シートの端子がカード本体の接触子に接触され、スイッチ情報がカード本体の制御手段に伝達される。また、印刷シートには印刷シートの種別を識別するための識別コードが印刷され、同様に印刷シートをカード本体に挿入した時に、識別コード情報がカード本体の制御手段に伝達される。そして、カード本体の制御手段には、いずれかのスイッチパッドが導電層と接触したことを検出する機能と、識別コードを読取る機能と、読取られた識別コードと接触が検出されたスイッチパッドとから対応する音声データを選択して発音体に出力する機能とを有するので、カード本体にセットされている印刷シートの表面に印刷されているいずれかの絵が押されたときに対応する音声メッセージが出力される。
このように、印刷シートをカード本体に挿入することで絵を押すと声の出る学習カードを簡便に生成でき、幼児は生成された多品種の学習カードにより自ら自律的に学習することができる。
印刷シート側に形成する必要のあるスイッチパッド、識別コード、端子、配線パターン、絶縁層は、印刷シートの表面に絵を印刷する際に同時に裏面に導電性部材または絶縁部材を用いて印刷することで簡便に形成でき、多品種の印刷シートを低コストで製造できる。また、カード本体は多品種の学習カードに対して共通化されるので、量産化によりコストダウンを図ることができる。
また、学習カードが古くなった場合でも、印刷シートを差し替えるだけで更新でき、カード本体は繰り返し使用できるので、利用者の負担が軽減される。
尚、印刷シートのスイッチパッドがカード本体の導電層と接触したことを検出する方法としては、スイッチパッドと導電層とが電気的に導通したことを検出するようにしてもよく、スイッチパッドを２極式のスイッチパッドとし、スイッチパッドが導電層に接触することによって２つの極が電気的に導通することを検出するようにしてもよい。
また、印刷シートに印刷するスイッチパッドおよび絶縁層は表面に印刷された絵を押したときに導電層と接触するものであればどのようなものでもよいが、表面に印刷された絵に対応した形状とすることにより、絵のどの部分を押しても対応する音声メッセージが出力される学習カードを構成することができる。
【００１０】
この発明の絵を押すと声の出る学習カードは、前記カード本体は、前記印刷シートの識別コードと前記印刷シートのスイッチパッドが接続される端子番号とに対応して音声データを記憶させたメモリカードを読取るメモリカード読取手段を備え、前記制御手段は、前記メモリカード読取手段にセットされたメモリカードから前記カード本体に挿入されている印刷シートの表面に印刷された絵に対応する音声データを選択する機能を有するものである。
この発明によれば、メモリカード読取手段にセットされたメモリカードに記録された音声データを用いて印刷シートの表面に印刷された絵に対応する音声メッセージが選択されるので、新規の印刷シートが発行された場合でも、カード本体のメモリカードを入れ替えることで対応でき、製造コストを低減できる。また、利用者にとっても、メモリカードを入れ替えることで初期購入時に対応していなかった新規の印刷シートに対応できるので、カード本体を買い換える必要がなく、利用者の負担が軽減される。
【００１１】
この発明の絵を押すと声の出る学習カードは、前記カード本体は、録音モードに切り替える録音モード切替手段を備え、前記制御手段は、前記録音モード切替手段が録音モードに切り替えられたときに、前記スイッチパッドのいずれかが前記導電層と接触したことを検出して音声を録音する機能と、前記識別コードを読取る機能と、前記録音された音声データを前記読取られた識別コードと前記接触が検出されたスイッチパッドとに対応させて記録する機能とを有するものである。
この発明によれば、録音モード切替手段を備え、録音モードにおいては、いずれかのスイッチパッドが導電層と接触したことを検出したときに音声を録音し、録音された音声データを識別コードとスイッチパッドとに対応させて記録する機能を有するので、印刷シートに印刷された絵を押しながら音声メッセージを録音することで学習に必要な音声データを簡便に登録できる。また、この機能を利用者に開放することで、利用者は印刷シートに印刷された各絵に対して個別に独自の音声メッセージを登録でき、学習カードを自由にカスタマイズできる。
【００１２】
この発明の絵を押すと声の出る学習カードは、表面に学習対象となる絵が印刷された印刷シートをカード本体に挿入して使用する学習カードであって、前記印刷シートの裏面には、２次元に配列された印刷シート側スイッチパッドと、印刷シートの種別を識別するための識別コードと、前記カード本体への挿入時に前記カード本体に接続される端子と、前記印刷シート側スイッチパッドの一方の軸を相互に接続して前記端子に接続する配線パターンと、前記識別コードを前記端子に接続する配線パターンとが導電性部材により印刷され、前記カード本体は、前記印刷シートの挿入時に前記印刷シートの端子と接触する接触子と、前記印刷シート側スイッチパッドに対応して配列された本体側スイッチパッドと、前記本体側スイッチパッドのうち前記印刷シート側スイッチパッドを相互に接続した軸と異なる軸を相互に接続する本体側配線パターンと、前記本体側スイッチパッドの部分に中空部を有する絶縁層と、音声を発音する発音体と、前記接触子および前記本体側配線パターンに接続され、前記印刷シート側スイッチパッドのいずれかと対応する前記本体側スイッチパッドとが接触したことを検出する機能と、前記識別コードを読取る機能と、前記読取られた識別コードと前記接触が検出されたスイッチパッドの２次元上の位置とに対応する音声データを選択して前記発音体に出力する機能とを有する制御手段とを備え、印刷シートに印刷されたいずれかの絵が押されたときに、その絵に対応する音声メッセージが出力されるものである。
この発明によれば、印刷シートの裏面に印刷され、２次元に配列されて、一方の軸が相互に接続された印刷シート側スイッチパッドと、印刷シート側スイッチパッドに対応してカード本体に備えられ、他方の軸が相互に接続された本体側スイッチパッドと、カード本体に備えられた絶縁層とによって、２次元に配列されたスイッチが形成され、印刷シートをカード本体に挿入した時に、印刷シートの端子がカード本体の接触子に接触され、スイッチ情報がカード本体の制御手段に伝達される。また、印刷シートには印刷シートの種別を識別するための識別コードが印刷され、同様に印刷シートをカード本体に挿入した時に、識別コード情報がカード本体の制御手段に伝達される。そして、カード本体の制御手段には、いずれかの印刷側スイッチパッドが対応する本体側スイッチパッドと接触したことを検出する機能と、識別コードを読取る機能と、読取られた識別コードと接触が検出されたスイッチパッドの２次元上の位置とから対応する音声データを選択して発音体に出力する機能とを有するので、カード本体にセットされている印刷シートの表面に印刷されているいずれかの絵が押されたときに対応する音声メッセージが出力される。
このように、印刷シートをカード本体に挿入することで絵を押すと声の出る学習カードを簡便に生成でき、幼児は生成された多品種の学習カードにより自ら自律的に学習することができる。
印刷シート側に形成する必要のある印刷シート側スイッチパッド、識別コード、端子、配線パターンは、印刷シートの表面に絵を印刷する際に同時に裏面に導電性部材を用いて印刷することで簡便に形成でき、多品種の印刷シートを低コストで製造できる。また、カード本体は多品種の学習カードに対して共通化されるので、量産化によりコストダウンを図ることができる。
また、学習カードが古くなった場合でも、印刷シートを差し替えるだけで更新でき、カード本体は繰り返し使用できるので、利用者の負担が軽減される。
【００１３】
この発明の絵を押すと声の出る学習カードは、表面に学習対象となる絵が印刷された印刷シートをカード本体に挿入して使用する学習カードであって、前記印刷シートの裏面には、表面に絵が印刷される範囲を導電体とする導電部と、印刷シートの種別を識別するための識別コードと、前記カード本体への挿入時に前記カード本体に接続される端子と、前記識別コードを前記端子に接続する配線パターンとが形成され、前記カード本体は、前記印刷シートの挿入時に前記印刷シートの端子と接触する接触子と、前記印刷シートの表面に絵が印刷される範囲に対応して２次元に配列され、前記印刷シートの絵が押されたときに前記印刷シートの導電部が接触することにより導通する２極式のスイッチパッドと、前記スイッチパッドの部分に中空部を有する絶縁層と、音声を発音する発音体と、前記接触子および前記スイッチパッドに接続され、前記２極式のスイッチパッドのいずれかが接触したことを検出する機能と、前記識別コードを読取る機能と、前記読取られた識別コードと前記接触が検出されたスイッチパッドの２次元上の位置とに対応する音声データを選択して前記発音体に出力する機能とを有する制御手段とを備え、印刷シートに印刷されたいずれかの絵が押されたときに、その絵に対応する音声メッセージが出力されるものである。
この発明によれば、カード本体に備えられ、２次元に配列された２極式のスイッチパッドと、カード本体に備えられた絶縁層と、印刷シートの裏面の導電部とによって、２次元に配列されたスイッチが形成され、印刷シートをカード本体に挿入した時に、印刷シートの端子がカード本体の接触子に接触され、スイッチ情報がカード本体の制御手段に伝達される。また、印刷シートには印刷シートの種別を識別するための識別コードが印刷され、同様に印刷シートをカード本体に挿入した時に、識別コード情報が接触子を介してカード本体の制御手段に伝達される。そして、カード本体の制御手段には、いずれかの２極式のスイッチパッドが接触したことを検出する機能と、識別コードを読取る機能と、読取られた識別コードと接触が検出されたスイッチパッドの２次元上の位置とから対応する音声データを選択して発音体に出力する機能とを有するので、カード本体にセットされている印刷シートの表面に印刷されているいずれかの絵が押されたときに対応する音声メッセージが出力される。
このように、印刷シートをカード本体に挿入することで絵を押すと声の出る学習カードを簡便に生成でき、幼児は生成された多品種の学習カードにより自ら自律的に学習することができる。
印刷シートに形成する導電部、端子、配線パターンは、印刷シートの種別に依存せず形成でき、識別コードのみを印刷シートの種別に応じて形成すればよいので、多品種の印刷シートを低コストで製造できる。また、カード本体は多品種の学習カードに対して共通化されるので、量産化によりコストダウンを図ることができる。また、学習カードが古くなった場合でも、印刷シートを差し替えるだけで更新でき、カード本体は繰り返し使用できるので、利用者の負担が軽減される。
【００１４】
この発明の絵を押すと声の出る学習カードは、前記カード本体は、前記印刷シートの識別コード別に前記スイッチパッドの２次元上の位置に対応して音声データを記憶させたメモリカードを読取るメモリカード読取手段を備え、前記制御手段は、前記メモリカード読取手段にセットされたメモリカードから前記カード本体に挿入されている印刷シートの表面に印刷された絵に対応する音声データを選択する機能を有するものである。
この発明によれば、メモリカード読取手段にセットされたメモリカードに記録された音声データを用いて印刷シートに印刷された絵に対応する音声メッセージが選択されるので、新規の印刷シートが発行された場合でも、カード本体のメモリカードを入れ替えることで対応でき、製造コストを低減できる。また、利用者にとっても、メモリカードを入れ替えることで初期購入時に対応していなかった新規の印刷シートに対応できるので、カード本体を買い換える必要がなく、利用者の負担が軽減される。
【００１５】
この発明の絵を押すと声の出る学習カードは、前記カード本体は、録音モードに切り替える録音モード切替手段を備え、前記制御手段は、前記録音モード切替手段が録音モードに切り替えられたときに、前記スイッチパッドのいずれかが接触したことを検出して音声を録音する機能と、前記識別コードを読取る機能と、前記録音された音声データを前記読取られた識別コード別に前記接触が検出されたスイッチパッドの２次元上の位置に対応させて記録する機能とを有するものである。
この発明によれば、録音モード切替手段を備え、録音モードにおいては、いずれかのスイッチパッドが接触したことを検出したときに音声を録音し、録音された音声データを識別コード別にスイッチパッドの２次元上の位置に対応させて記録する機能を有するので、印刷シートに印刷された絵を押しながら音声メッセージを録音することで学習に必要な音声データを簡便に登録できる。また、この機能を利用者に開放することで、利用者は印刷シートに印刷された各絵に対して個別に独自の音声メッセージを登録でき、学習カードを自由にカスタマイズできる。
【００１６】
この発明の絵を押すと声の出る学習カードは、前記カード本体は、外装の一部または全部が導電性部材で形成され、前記制御手段は、人が前記導電性部材にタッチしたことを検出するタッチ検出手段を備え、前記タッチ検出手段がタッチを検出したときに電源を投入する機能と、前記発音体に対して初期メッセージを出力する機能とを有するものである。
この発明によれば、人がカード本体の外装にタッチしたことを検出して、電源を投入して初期メッセージを出力する機能を有するので、学習カードにタッチした人に呼びかけて使い方を説明したり、内容を説明したり、興味を引くメッセージを発すること等が行え、幼児に学習カードを与えておくだけで、幼児が自ら自律的に学習できる。
【発明の効果】
【００１７】
この発明によれば、表面に描かれたいずれかの絵を押すとその絵に対応する音声メッセージが出力され、幼児が自ら自律的に学習可能な多品種の学習カードを低コストで提供できるという効果がある。
【００１８】
この発明の上述の目的，その他の目的，特徴および利点は、図面を参照して行う以下の発明を実施するための最良の形態の説明から一層明らかとなろう。
【発明を実施するための最良の形態】
【００１９】
図１にこの発明の一実施形態にかかる絵を押すと声の出る学習カードの概略構成を示す。本願発明の学習カードは、カード本体１０と印刷シート２０から構成され、印刷シート２０をカード本体１０に挿入して使用する。図において、（ａ）はカード本体１０の平面図であり、（ｂ）は印刷シート２０の平面図であり、（ｃ）はカード本体１０に印刷シート２０を挿入した状態でのＡ−Ａ断面図解図である。
カード本体１０は、薄い長方形状のカードケース１２の内部に本体基板３０が内装されており、本体基板３０のネジ穴３０ａ，３０ｂ，３０ｃ，３０ｄにカードケース１２が固定されている。カードケース１２は導電性部材で形成されており、表面側には印刷シート２０が挿入されたときに、印刷シートの表面の絵が見えるように窓（切り欠き）が設けられている。
【００２０】
印刷カード２０の表面には、スタートボタン２１ａのようなマークや馬２１ｂ、像２１ｃ、キリン２１ｄのような動物などの絵２１が印刷されている。印刷カード２０の裏面には、表面の絵に対応したスイッチパッド２２と、印刷シートを識別するための識別コード２５（図１では省略）と、スイッチパッド２２や識別コード２５を外部に取り出すための端子２３と、スイッチパッドの動作ストロークを確保するための絶縁層２４とが印刷されている。
【００２１】
本体基板３０の表面には、印刷シートに印刷されたスイッチパッド２２が接触する対象となる導電層３１と、印刷シート２０をカードケース１２に挿入する際のスペーサとなり、挿入後に印刷シート２０の上辺と下辺をカードケース１２の表面側に押圧固定するガイドスペーサ３２（３２ａ、３２ｂ）と、印刷シート２０を挿入したときに印刷シートの端子２３を接触させて裏面の制御回路に接続するためのバネ性を有する接触子３３（スイッチパッド用接触子３３ｓ１−ｓ６、識別コード用接触子３３ｃ１−ｃ６）が備えられている。
【００２２】
また、本体基板３０の裏面には、絵を押すと対応する声を出す制御動作を行うＩＣチップ３４と、ＩＣチップ３４に接続され、電源を供給する電池３５と、ＩＣチップ３４に接続され、声を発音する発音体３６と、ＩＣチップ３４に接続され、各印刷シートに印刷された絵に対応する音声データを記録したメモリカード３７ａから指定された音声データを読取るメモリカード読取装置３７とを備えている。これらに伴い、カードケース１２には、メモリカード読取装置３７にメモリカード３７ａをセットするためのメモリカード挿入口、電池２４を交換するための電池交換口、発音体２５による音声を通過させるための音声通過窓を備える。
尚、この実施形態では、後述のように音声データの登録機能を備えるので、メモリカードは磁気カードのような書き換え可能な記録媒体が使用される。
【００２３】
図２にこの実施形態の印刷シート２０を示す。図において、（ａ）は印刷シート２０の表面図であり、（ｂ）は印刷シート２０の裏面図である。
印刷シート２０の表面には、前述のように、スタートボタン２１ａのようなマークや馬２１ｂ、像２１ｃ、キリン２１ｄのような動物などの絵２１が印刷されている。
印刷シート２０の裏面には、表面の絵２１ａ−ｄに対応して、対応する位置に対応する大きさで設けられるスイッチパッド２２ａ−ｄと、印刷シートの端部に設けられる端子２３と、各スイッチパッド２２ａ―ｄとスイッチパッド用端子２３ｓ１−ｓ６とを接続する配線パターンと、印刷シートの種別を識別するためのコード化されたＯＮ／ＯＦＦ情報として設けられる識別コード２５と、識別コード２５と識別コード用端子２３ｃ１−ｃ６とを接続する配線パターンとが導電性インキにより印刷されている。また、印刷シート２０の裏面には、絵を押したときの動作ストロークを確保するために、スイッチパッド２２ａ−ｄの形状に対応した中空部を有し、スイッチパッド以外の配線パターンや識別コードがカード本体の導電層と接触しないように絶縁する絶縁層２４を備えており、前述の導電性インキによる印刷を行った後に絶縁性インクを用いて印刷される。
尚、印刷シート２０は、表面の絵２１が押されると裏面のスイッチパッド２２がカード本体の導電層３１に接触し、離すと元に戻る必要があるので、充分な可撓性と弾性を有する部材が用いられる。また、印刷シートの裏面に印刷されるスイッチパッド２２は、表面の絵が繰返し押されても亀裂が生じにくい導電性インキが使用される。
【００２４】
図３にこの実施形態のカード本体１０に内装される本体基板３０を示す。図において、（ａ）は本体基板３０の表面図であり、（ｂ）は本体基板３０の裏面図である。
本体基板３０の表面には、前述のように、導電層３１と、ガイドスペーサ３２（３２ａ，３２ｂ）と、接触子３３（スイッチパッド用接触子３３ｓ１−ｓ６、識別コード用接触子３３ｃ１−ｃ６）とを備える。
本体基板３０の裏面には、電源を供給する電池３５と、声を発音する発音体３６と、セットされているメモリカードを読取るメモリカード読取装置３７と、人がカードケースにタッチしたことを検出するタッチ検出回路３８と、タッチ検出機能を使用するか否かを切り替えるタッチ検出モードスイッチ３８ａと、録音モードに切り替えるための録音モードスイッチ３９ａと、録音モードにおいて音声を録音するためのマイクを接続するマイクジャック３９ｂとを備えており、ＩＣチップ３４にそれぞれ接続されている。
また、ＩＣチップ３４には、導電層３１とスイッチパッド用接触子３３ｓ１−ｓ６がスルーホールを介して接続されており、スイッチパッド２２ａ，ｂ，ｃ，ｄと導電層３１の接触が検出される。また、ＩＣチップ３４には、識別カード用接触子３３ｃ１−ｃ６がスルーホールを介して接続されており、カード本体に挿入されている印刷シートの種別が識別される。これにより、学習カードに挿入されている印刷シートの表面のいずれかの絵が押されると、その絵に対応する音声データがメモリカードから取り出され、絵に対応した音声メッセージが発音体３６から出力される。
【００２５】
タッチ検出回路３８は、スルーホール３０ａを介して導電性のカードケース１２に接続されており、人体から誘導される交流信号を検出する。これにより、タッチ検出モードスイッチ３８ａがタッチ検出モードに設定されている場合には、人がカードケースにタッチしたことがＩＣチップ３４に通知される。
【００２６】
この実施形態の絵を押すと声の出る学習カードは、メモリカードに音声データを登録する機能を備えており、録音モードスイッチ３９ａを録音モードとし、マイクジャック３９ｂにマイクを接続し、学習カードの表面の絵を押しながらマイクにむかってしゃべることで、音声が録音され、録音された音声データが印刷シートに印刷された絵に対応してメモリカードに記録される。
【００２７】
図４にＩＣチップ３４による制御動作の処理フローを示す。図のように、最初に、タッチ検出回路３８により人が学習カードにタッチしたことを検出したか（Ｓ１００）、いずれかのスイッチが押されたことを検出した場合に（Ｓ１０２）、電源をＯＮとし（Ｓ１０４）、印刷シートの識別コードを読取る（Ｓ１０５）。
そして、録音モードスイッチ３９ａが通常モードにセットされている場合には（Ｓ１０６）、メモリカード読取装置３７にセットされているメモリカードから初期メッセージの音声データを取得し（Ｓ１０８）、発音体３６に出力する（Ｓ１０９）。尚、初期メッセージとしては、例えば「こんにちは。どれか面白そうな絵を押してみて！」のように一般的なメッセージを出力するようにしてもよく、Ｓ１０５において読取られた識別コードから当該印刷シートに指定された音声データを取得して、例えば「このカードは動物のことを教えてくれるカードだよ。どれか面白そうな動物の絵を押してみて！」のような固有のメッセージを出力するようにしてもよい。
【００２８】
次に、いずれかのスイッチパッドが導電層と接触したことを検出した場合に（Ｓ１１０）、メモリカード読取装置３７にセットされているメモリカードから、Ｓ１０５において読取られた識別コードとＳ１１０において接触が検出されたスイッチパッドとに対応する音声データを取得し（Ｓ１１２）、発音体に出力する（Ｓ１１４）。これにより印刷シートのいずれかの絵が押されたときに、その絵に対応する音声メッセージが出力される。このような処理をＳ１１０から繰り返し、一定時間いずれのスイッチパッドの接触も検出されなかった場合には（Ｓ１１６）、電源をＯＦＦとし（Ｓ１１８）、最初に戻る。
【００２９】
また、Ｓ１０６において、録音モードスイッチ３９ａが録音モードに設定されている場合には、録音処理に入る。録音処理においては、いずれかのスイッチパッドの接触（ＯＮ）が検出されたら（Ｓ１３０）、マイクの音声を取り込んで録音し（Ｓ１３２）、当該スイッチパッドの接触解除（ＯＦＦ）が検出されたら（Ｓ１３４）、録音された音声データをＳ１０５において読取られた識別コードとＳ１３０において接触が検出されたスイッチパッドとに対応する音声データとしてメモリカードに記録する（Ｓ１３６）。このような処理をＳ１３０から繰り返し、一定時間いずれのスイッチパッドの接触も検出されなかった場合または録音モードスイッチ３９ａが通常モードにセットされたら（Ｓ１３８）、Ｓ１１８に進んで電源をＯＦＦして最初に戻る。
尚、上記録音処理においては、スイッチパッドの接触解除（ＯＦＦ）が検出されたら自動的に録音データをメモリカードに記録するものとしたが、誤って元のデータが消去されることを防止するために、別途書込スイッチを備え、書込スイッチが押されたことを確認した上でメモリカードに書込むようにしてもよい。
【００３０】
図５の（ａ）に、上記実施形態の学習カードにおいてメモリカードに記録される音声データのデータテーブルの例を示す。図のように、メモリーカードには、印刷シートの識別コードと印刷シートのスイッチパッドの端子番号とに対応して音声データが記録される。
【００３１】
図６にこの発明の他の実施形態にかかる学習カードの絵を押すと声の出る学習カードの印刷シートと本体基板を示す。図において、（ａ）は印刷シート２０の裏面図であり、（ｂ）は本体基板３０の表面図である。
図のように、印刷シート２０の裏面には、一定形状のスイッチパッドを２次元に配列した印刷シート側スイッチパッド４２と、印刷シートの端部に設けられる端子２３と、縦方向の各印刷シート側スイッチパッド４２を相互に接続してスイッチパッドＹ軸用端子２３ｙ１−ｙ６に接続する配線パターンと、印刷シートの種別を識別するためのコード化されたＯＮ／ＯＦＦ情報として設けられる識別コード２５と、識別コード２５と識別コード用端子２３ｃ１−ｃ６とを接続する配線パターンとが導電性インキにより印刷されている。
一方、本体基板３０の表面には、印刷シートのスイッチパッドＹ軸用端子２３ｙ１−ｙ６に接触させて裏面のＩＣチップ２４と接続させるためのバネ性を有する接触子３３ｙ１−ｙ６と、印刷シートの識別コード用端子２３ｃ１−ｃ６に接触させて裏面のＩＣチップ２４と接続させるためのバネ性を有する接触子３３ｃ１−ｃ６とを備え、印刷シート側スイッチパッド２２に対応して２次元に配列された本体側スイッチパッド５２と、横方向の各本体側スイッチパッド５２を相互に接続して裏面のＩＣチップ２４が接続されているスルーホールと接続する配線パターン（便宜上３３ｘ１−ｘ６とする）とが形成されている。また、本体基板３０の表面には、印刷シートの絵が押されたときの動作ストロークを確保するために本体側スイッチパッド５２の形状に対応した中空部を有し、印刷シート側スイッチパッド４２と本体側スイッチパッド５２以外の無用な接触が生じないように絶縁するための絶縁層５４が、本体側スイッチパッド５２および配線パターンの上に形成されている。
【００３２】
図５（ｂ）に上記他の実施形態の学習カードにおいてメモリカードに記録される音声データのデータテーブルの例を示す。図のように、メモリカードには、印刷シートの識別コード別に２次元のデータテーブルを有し、各データテーブルには印刷シートの表面に印刷された絵の位置に対応する座標（横方向：Ｘ、縦方向：Ｙ）に音声データが記録される。
【００３３】
この実施形態におけるＩＣチップによる制御動作は、図４のＳ１１０において、接触子３３ｘ１−ｘ６と配線パターン３３ｙ１−ｙ６のいずれかの間で接触が検出されたときにスイッチの接触が検出されたと判断し、図４のＳ１１２において、読取られた識別コードに対応する音声データのうち、接触が検出されたスイッチパッドの２次元上の位置に基づいて対応する音声データを取得する。
また、音声データを登録する録音処理においても、図４のＳ１３０において、接触子３３ｘ１−ｘ６と配線パターン３３ｙ１−ｙ６のいずれかの間で接触が検出されたときにスイッチがＯＮになったと判断し、図４のＳ１３６において、読取られた識別コードに対応するデータテーブルの、接触が検出されたスイッチパッドの２次元上の位置に対応するところに録音された音声データを記録する。
【００３４】
このように、スイッチパッドを２次元に配列し、接触が検出されたスイッチパッドの座標から印刷シートのいずれの絵が押されたかを判断させるようにした場合には、印刷シートの識別コードのみを印刷シートの種別に応じて変更すればよい。また、スイッチパッドの動作ストロークを確保するための絶縁層は、印刷シートの表面の絵の形状に依存しないので、本体基板側に設けることができる。これらにより、印刷シートの製造コストを更に低減できる。
【００３５】
図７にこの発明の一実施形態にかかる絵を押すと声の出る学習カードのスイッチパッドの他の実施例を示す。このスイッチパッド２２ｓｉは、２つの電極を相互に密接させて配置したものであり、各電極は２つの端子２３ｓｉに配線されている。このような２極式スイッチパッドを用いた場合には、印刷シートの表面の絵が押されると、対応するスイッチパッド２２ｓｉが本体基板の導電層３１と接触して２つの電極が導通するので、ＩＣチップ２４は、対応する２つの端子２３ｓｉが導通したことを検出することにより、印刷シートの表面のいずれの絵が押されたかを判断することができる。
【００３６】
上記他の実施例にかかる２極式スイッチパッドは、上記他の実施形態にかかる学習カードのスイッチパッドに適用することも可能である。この場合には、印刷シート側スイッチパッド４２または本体基板側スイッチパッド５２のいずれか一方に上記２極式スイッチパッドを用い、他方は単なる導電体とすればよい。例えば、印刷シートの裏面において、表面に絵が印刷される範囲に導電体による導電部を設け、本体基板の表面に上記２極式スイッチパッドを２次元に配列したものを形成し、その上にスイッチパッドの動作ストロークを確保するための絶縁層を形成するようにすればよい。これにより、印刷シートの絵が押されると、印刷シートの導電部により本体基板の対応する位置の２極式スイッチパッドがＯＮとなるので、ＩＣチップ２４は印刷シートの表面のいずれの絵が押されたかを判断することができる。このようにすれば、印刷シートは、単に種別に応じた識別コードを裏面に印刷するだけでよく、印刷シートの製造コストを更に低減できる。また、スイッチパッドは本体基板に設けられるので、スイッチの耐久性も向上する。
【００３７】
上記実施形態では、印刷シートの裏面に印刷されるスイッチパッドや識別コードや端子は、導電性インキにより印刷されるとして説明したが、これに限定されるものではなく、例えば導電性部材を転写する等の方法を用いてもよい。
【００３８】
上記実施形態では、音声データをメモリカードに登録する機能を備えた学習カードの例を示したが、音声データは他の装置によりメモリカードに登録するものとし、学習カードは単にメモリカードに記録された音声データを使用して絵に対応する声を出力する機能のみを備えるものでもよい。この場合には、メモリカードはリードオンリータイプのものでよく、ＲＯＭカード等を用いてもよい。
【００３９】
上記実施形態では、音声データはメモリカードから取得するものとし、メモリカード読取装置を備えるとしたが、音声データを記録したＲＯＭチップまたはＥＥＰＲＯＭチップ等をＩＣチップに接続するようにしてもよく、ＩＣチップ内に記録された音声データを使用するようにしてもよい。
【００４０】
上記実施形態では、カードケースを導電性部材で形成することで人が学習カードにタッチしたことを検出するようにしたが、印刷シートの絵が見えるように設けられたカードケースの窓部（切り欠き）に導電性の透明シートを設け、これをタッチ検出回路に接続することで、人が学習カードにタッチしたことを検出するようにしてもよく、両者を併用するようにしてもよい。
また、人体からの誘導を検出するアンテナを設け、誘導された交流信号を検出することにより、人が近づいたことを検出して初期メッセージを出力するようにしてもよい。
【産業上の利用可能性】
【００４１】
以上のように、この発明によれば、表面に描かれたいずれかの絵を押すとその絵に対応する音声メッセージが出力され、幼児が自ら自律的に学習可能な多品種の学習カードを低コストで提供できる。
尚、本願発明は上述した各実施形態に限定されるものではなく、本願発明の効果を奏する限り、各実施形態で述べた構成要素を適宜入れ替えたり、新たな構成要素を追加したり、一部の構成要素を削除したりしてもよいことはいうまでもない。
【図面の簡単な説明】
【００４２】
【図１】この発明の一実施形態にかかる絵を押すと声の出る学習カードの概略構成図である。
【図２】この発明の一実施形態にかかる絵を押すと声の出る学習カードのカード本体に挿入される印刷シートを示す図である。
【図３】この発明の一実施形態にかかる絵を押すと声の出る学習カードのカード本体に内装される本体基板を示す図である。
【図４】この発明の一実施形態にかかる絵を押すと声の出る学習カードのＩＣチップによる制御動作を示す処理フロー図である。
【図５】音声データテーブルの例を示す図である。
【図６】この発明の他の実施形態にかかる絵を押すと声の出る学習カードの印刷シートと本体基板を示す図である。
【図７】この発明の一実施形態にかかる絵を押すと声の出る学習カードのスイッチパッドの他の実施例を示す図である。
【符号の説明】
【００４３】
１０  カード本体
１２  カードケース
２０  印刷シート
２１  絵の印刷部
２２  スイッチパッド印刷部
２３  端子印刷部
２４  絶縁層印刷部
２５  識別コード印刷部
３０  本体基板
３１  導電層
３２  ガイドスペーサ
３３  接触子
３４  ＩＣチップ
３５  電池
３６  発音体
３７  メモリカード読取装置
３８  タッチ検出回路
３８ａ  タッチ検出モードスイッチ
３９ａ  録音モードスイッチ
３９ｂ  マイクジャック
４２  印刷シート側スイッチパッド
５２  本体側スイッチパッド
５４  本体側絶縁層
【図１】
2006326895.tif 000003
【図２】
2006326895.tif 000004
【図３】
2006326895.tif 000005
【図４】
2006326895.tif 000006
【図５】
2006326895.tif 000007
【図６】
2006326895.tif 000008
【図７】
2006326895.tif 000009